(57)【特許請求の範囲】
【請求項１】
撮像部の撮像感度を、撮影条件に応じて所定の設定範囲内で自動調整する感度制御部を備える撮像装置を用いた撮影時に使用され、照明光を照射する照明装置であって、
表示部と、
前記感度制御部の前記所定の設定範囲に関する感度範囲情報に基づいて、調光可能範囲の上限値及び下限値の少なくとも一方を演算して前記表示部に表示させる制御部と、を備え、
前記制御部は、
前記撮像装置に備えられるとともに前記撮像部の出力に基づいて生成された画像データの輝度値を複数の補正強度のうちの任意の補正強度で補正可能な画像処理部の、前記任意の補正強度に関する補正能力情報に基づいて、前記調光可能範囲を補正し、且つ
前記補正後の調光可能範囲と前記補正能力情報とを関連付けて前記表示部に表示させること、を特徴とする照明装置。
【請求項２】
請求項１に記載の照明装置において、
前記撮像装置と通信を行うことによって前記感度範囲情報をこの撮像装置から取得する通信部を備えること、
を特徴とする照明装置。
【請求項３】
請求項１に記載の照明装置において、
前記撮像装置と通信を行うことによって前記感度範囲情報及び前記補正能力情報をこの撮像装置から取得する通信部を備えることを特徴とする照明装置。
【請求項４】
撮像部と、前記撮像部の出力に基づいて生成された画像データの輝度値を、複数の補正強度のうちの任意の補正強度で補正可能な画像処理部と、を備える撮像装置に対して接続可能に設けられた照明装置であって、
表示部と、
前記画像処理部の前記任意の補正強度に関する補正能力情報に基づいて、調光可能範囲の上限値及び下限値の少なくとも一方を演算して前記表示部に表示させる制御部と、を備え、
前記制御部は、前記補正能力情報を、前記演算された調光可能範囲と関連付けて前記表示部に表示させること、を特徴とする照明装置。
【請求項５】
請求項４に記載の照明装置において、
前記撮像装置と通信を行うことによって前記補正能力情報をこの撮像装置から取得する通信部を備えること、を特徴とする照明装置。
【請求項６】
請求項１〜５の何れか一項に記載の照明装置であって、
所望の被写体までの距離を求める測距部を更に有し、
前記制御部は、前記測距部により測定された距離情報を、前記調光可能範囲の表示とともに前記表示部に表示させることを特徴とする照明装置。
【請求項７】
カメラ本体と、該カメラ本体を用いた撮影時に撮影用の照明光を照射する照明装置とからなるカメラシステムであって、
前記カメラ本体は、
撮影条件に応じて撮像部の撮像感度を所定の設定範囲内で自動設定する感度制御部と、
前記撮像部の出力に基づいて生成された画像データの輝度値を、複数の補正強度のうちの任意の補正強度で補正可能な画像処理部と、を備え、
前記照明装置は、
表示部と、
前記カメラ本体と通信を行うことによって、前記感度制御部の前記所定の設定範囲に関する感度範囲情報及び前記画像処理部の前記任意の補正強度に関する補正能力情報を前記カメラ本体から取得する通信部と、
前記感度制御部の前記感度範囲情報及び前記補正能力情報に基づいて、前記照明装置の調光可能範囲の上限値及び下限値の少なくとも一方を演算して前記表示部に表示させ、且つ、前記補正能力情報を前記演算後の前記調光可能範囲と関連付けて前記表示部に表示させる制御部と、
を備えることを特徴とするカメラシステム。
【請求項８】
カメラ本体と、該カメラ本体を用いた撮影時に撮影用の照明光を照射する照明装置とからなるカメラシステムであって、
前記カメラ本体は、
撮影条件に応じて撮像部の撮像感度を所定の設定囲内で自動設定する感度制御部と、
前記撮像部の出力に基づいて生成された画像データの輝度値を、複数の補正強度のうちの任意の補正強度で補正可能な画像処理部と、を備え、
前記照明装置及び前記カメラ本体の何れか一方は、
表示部と、
前記感度制御部の前記所定の設定範囲に関する感度範囲情報及び前記画像処理部の前記任意の補正強度に関する補正能力情報に基づいて、前記照明装置の調光可能範囲の上限値及び下限値の少なくとも一方を演算して前記表示部に表示させ、且つ、前記補正能力情報を前記演算後の前記調光可能範囲と関連付けて前記表示部に表示させる制御部と、
を備えることを特徴とするカメラシステム。
【発明の詳細な説明】
【技術分野】
【０００１】
本発明は、照明装置、撮像装置、及び、カメラシステムに関するものである。
【背景技術】
【０００２】
カメラは、照明装置の調光可能範囲を表示するものが知られている（例えば、特許文献１参照）。
【特許文献１】特開平８−２６２５５０号公報
【０００３】
また近年、デジタルカメラに接続される撮影用の照明装置（例えばフラッシュ装置やストロボ装置と称されるもの）において、装着されているデジタルカメラから撮像素子の撮像感度（ＩＳＯ値）の情報を入力し、そのＩＳＯ値に基づいてその照明装置の調光可能範囲を演算し、その演算結果（調光可能範囲の距離表示）を照明装置に設けられた表示部に表示するものが知られている。
また近年のデジタルカメラは、撮影条件に応じて撮像素子の撮像感度（ＩＳＯ値）を自動的に調節するオートＩＳＯと称する機能を備えたものが普及している。
このようなデジタルカメラと照明装置とで構成されるカメラシステムにおいては、ＩＳＯ値が固定されている場合はその固定ＩＳＯ値に基づく調光可能範囲が照明装置の表示部に表示され、一方オートＩＳＯの場合には所定の測光タイミング毎の測光結果（輝度値）に応じてその都度決定されるＩＳＯ値（１つのＩＳＯ値）に基づく調光可能範囲がその表示部に表示される。
【発明の開示】
【発明が解決しようとする課題】
【０００４】
オートＩＳＯの場合は、特に制約がなければそのカメラで設定可能な範囲内のＩＳＯ値を、測光結果（輝度値）に応じて任意に設定することができる。つまり設定できるＩＳＯ値には幅がある（一例として、ＩＳＯ値１００〜１６００）。このため調光可能範囲もその設定可能なＩＳＯ値の幅に応じて決定されることが望ましい。しかしながら従来のカメラシステムでは、上述の如く、オートＩＳＯの場合であっても、所定タイミング毎になされるその時々の測光結果に基づいて決定された調光可能範囲が表示される。このため、例えば被写体輝度の変化のタイミングと測光タイミングとがずれた場合に、実際とは異なる被写体輝度（ひいてはそれにしたがって決定される撮影感度）に応じた調光可能範囲が表示されてしまうという不都合が生じるおそれがある。
また、カメラをオートＩＳＯに設定しておき、かつレリーズボタンの全押し操作（撮影指示）に応じて、カメラでの本撮影の直前に照明装置が被写体測光のために行う、いわゆるプリ発光を行った上で本発光及び本撮影を行う場合には、そのプリ発光時の測光結果（ひいてはそれに基づく撮像感度）を反映した調光可能範囲が、撮影時の正しい調光可能範囲ということになる。しかしながら調光可能範囲の表示は、この全押し操作が行われる前に得られた測光結果（ひいては撮像感度）に基づいて算出された調光可能範囲を表示しているものであり、もしこのプリ発光時の測光結果と全押し操作前の測光結果とが異なっていると、その調光可能範囲の表示は正しい調光可能範囲を表示できないという不都合がある。
またプリ発光から本発光（本撮影）までの間隔は非常に短いため、たとえこの短い期間に、プリ発光時の測光結果（ひいては撮像感度）に基づく調光可能範囲を表示したとしても、撮影前に予め撮影者に正しい調光可能範囲を示す、という目的が実現できない。
本発明は上記問題点を解決して、正しい調光可能範囲を撮影者に示すことが可能な照明装置、撮像装置、及び、カメラシステムを提供することを目的とするものである。
【課題を解決するための手段】
【０００５】
本発明は、以下のような解決手段により、前記課題を解決する。ここでは理解を容易にするために、本発明の実施形態に対応する符号を付して説明するが、これに限定されるものではない。また、符号を付して説明した構成は、適宜改良してもよく、また、少なくとも一部を他の構成物に代替してもよい。
請求項１の発明は、撮像部（１１）の撮像感度を、撮影条件に応じて所定の設定範囲内で自動調整する感度制御部（１９ｂ）を備える撮像装置（１０）を用いた撮影時に使用され、照明光を照射する照明装置であって、表示部（３３）と、前記感度制御部の前記所定の設定範囲に関する感度範囲情報に基づいて、調光可能範囲の上限値及び下限値の少なくとも一方を演算して前記表示部に表示させる制御部（３６）と、を備え、前記制御部は、前記撮像装置に備えられるとともに前記撮像部の出力に基づいて生成された画像データの輝度値を複数の補正強度のうちの任意の補正強度で補正可能な画像処理部の、前記任意の補正強度に関する補正能力情報に基づいて、前記調光可能範囲を補正し、且つ前記補正後の調光可能範囲と前記補正能力情報とを関連付けて前記表示部に表示させること、を特徴とする照明装置（３０）である。
【０００６】
請求項２の発明は、請求項１に記載の照明装置において、前記撮像装置（１０）と通信を行うことによって前記感度範囲情報をこの撮像装置から取得する通信部（３２）を備えることを特徴とする照明装置（１０）である。
請求項３の発明は、請求項１に記載の照明装置において、前記撮像装置（１０）と通信を行うことによって前記感度範囲情報及び前記補正能力情報をこの撮像装置から取得する通信部（３２）を備えることを特徴とする照明装置（１０）である。
【０００７】
請求項４の発明は、撮像部（１１）と、前記撮像部の出力に基づいて生成された画像データの輝度値を、複数の補正強度のうちの任意の補正強度で補正可能な画像処理部（１９ｃ）とを備える撮像装置（１０）に対して接続可能に設けられた照明装置であって、表示部（３４）と、前記画像処理部の補正能力に関する補正能力情報に基づいて、調光可能範囲の上限値及び下限値の少なくとも一方を演算して前記表示部に表示させる制御部（３６）と、を備え、前記制御部（３６）は、前記補正能力情報を、前記演算された調光可能範囲と関連付けて前記表示部に表示させること、を特徴とする照明装置（３０）である。
請求項５の発明は、請求項４に記載の照明装置において、前記撮像装置と通信を行うことによって前記補正能力情報をこの撮像装置から取得する通信部（３２）を備えること、を特徴とする照明装置（３０）である。
【０００８】
請求項６の発明は、請求項１〜５の何れか一項に記載の照明装置であって、所望の被写体までの距離を求める測距部を更に有し、前記制御部（３６）は、前記測距部により測定された距離情報を、前記調光可能範囲の表示とともに前記表示部（３４）に表示させることを特徴とする照明装置（３０）である。
【０００９】
請求項７の発明は、カメラ本体（１０）と、該カメラ本体を用いた撮影時に撮影用の照明光を照射する照明装置（３０）とからなるカメラシステムであって、前記カメラ本体（１０）は、撮影条件に応じて撮像部（１１）の撮像感度を所定の設定範囲内で自動設定する感度制御部（１９ｂ）と、前記撮像部の出力に基づいて生成された画像データの輝度値を、複数の補正強度のうちの任意の補正強度で補正可能な画像処理部（１９ｃ）と、を備え、前記照明装置（３０）は、表示部（３４）と、前記カメラ本体と通信を行うことによって、前記感度制御部の前記所定の設定範囲に関する感度範囲情報及び前記画像処理部の前記任意の補正強度に関する補正能力情報を前記カメラ本体から取得する通信部（３２）と、前記感度制御部の前記感度範囲情報及び前記補正能力情報に基づいて、前記照明装置の調光可能範囲の上限値及び下限値の少なくとも一方を演算して前記表示部に表示させ、且つ、前記補正能力情報を前記演算後の前記調光可能範囲と関連付けて前記表示部に表示させる制御部（３６）と、を備えることを特徴とするカメラシステムである。
【００１０】
請求項８の発明は、カメラ本体（１０）と、該カメラ本体を用いた撮影時に撮影用の照明光を照射する照明装置（３０）とからなるカメラシステムであって、前記カメラ本体は、撮影条件に応じて撮像部（１１）の撮像感度を所定の設定囲内で自動設定する感度制御部（１９ｂ）と、前記撮像部（１１）の出力に基づいて生成された画像データの輝度値を、複数の補正強度のうちの任意の補正強度で補正可能な画像処理部（１９ｃ）と、を備え、前記照明装置及び前記カメラ本体の何れか一方は、前記感度制御部の前記所定の設定範囲に関する感度範囲情報及び前記画像処理部の前記任意の補正強度に関する補正能力情報に基づいて、前記照明装置の調光可能範囲の上限値及び下限値の少なくとも一方を演算して前記表示部に表示させ、且つ、前記補正能力情報を前記演算後の前記調光可能範囲と関連付けて前記表示部に表示させる制御部（１９，３６）と、を備えることを特徴とするカメラシステム（１）である。
【発明の効果】
【００１１】
本発明によれば、正しい調光可能範囲を撮影者に示すことが可能な照明装置、撮像装置、及び、カメラシステムを提供することができる。
【発明を実施するための最良の形態】
【００１２】
以下、図面を参照して、本発明を適用した照明装置の実施形態について説明する。
図１は、実施形態のカメラシステムの構成を示すブロック図である。
【００１３】
カメラシステム１は、図１に示すように、カメラ本体１０と交換レンズ２０とを備える一眼レフ方式のデジタルカメラ２に対して照明装置３０が着脱可能に装着されたものである。
照明装置３０は、デジタルカメラ２を用いて撮影を行う際に使用されるものであり、一般にフラッシュ装置、スピードライト等と称されている。
【００１４】
カメラ本体１０は、撮像部１１、表示部１２、アクセサリーシュー１３、通信部１４、測光部１５、操作部１６、記録部１７、照明光照射部１８、制御部１９、及び、撮影情報表示部４１（ファインダー内表示部４１）を備えた光学ファインダー４０を備えた撮像装置である。
【００１５】
撮像部１１は、交換レンズ２０に備えられた撮影レンズ２１を通過した被写体光を電気信号に変換するイメージセンサーである。撮像部１１には、例えば、ＣＣＤ（Charge  Coupled  Device）等を使用することができる。
表示部１２は、撮影済みの画像やメニュー画面を表示する部分である。
【００１６】
アクセサリーシュー１３は、照明装置３０等の外部機器が接続される部分である。アクセサリーシュー１３は、照明装置３０がカメラ本体１０に装着された状態で、照明装置３０に備えられた取付脚３１と機械的に係合するようになっている。
アクセサリーシュー１３は、複数の（図示しない）電気接点を備えている。照明装置３０の取付脚３１にも、これらの電気接点に対応した複数の（図示しない）電気接点が設けられており、照明装置３０とカメラ本体１０とは、電気的に接続される。
【００１７】
通信部１４は、上述した複数の電気接点を介して照明装置３０に備えられた通信部３２と通信を行う部分である。カメラ本体１０は、これによって、照明装置３０に対して各種情報を伝達することができる。
カメラ本体１０に備えられた通信部１４は、交換レンズ２０に備えられた通信部２２とも通信を行うことができ、交換レンズ２０に備えられた絞り装置２３の絞り値（Ｆ値）情報や、撮影レンズ２１の焦点距離情報等を交換レンズ２０から取得できるようになっている。
【００１８】
測光部１５は、撮影レンズ２１を通過した被写体光を受光する測光センサを備えており、被写体輝度を測定するようになっている。
操作部１６は、カメラ本体１０の筐体に備えられた複数の押しボタンを含み、撮影者等のユーザは、これらの押しボタンを操作することによって、各種入力操作を行うようになっている。
【００１９】
記録部１７は、カメラ本体１０に対して使用可能な外付け型照明装置（照明装置３０を含む）の、例えば、ガイドナンバー情報等の情報が記録された記録媒体である。
照明光照射部１８は、カメラ本体１０を用いた撮影時に照明光を照射する内蔵型の照明装置である。
【００２０】
制御部１９は、カメラ本体１０に備えられた電気要素を統括的に制御する部分であり、画像データ生成部１９ａ、感度制御部１９ｂ、及び、画像処理部１９ｃを備えている。
画像データ生成部１９ａは、撮像部１１から出力される電気信号に基づいて画像データを生成する部分である。
感度制御部１９ｂは、撮影条件等に関わらず適正露出が得られるように、測光部１５の出力に応じて撮像部１１の撮像感度（ＩＳＯ値）を自動的に制御する公知の感度自動制御を行う部分である。
【００２１】
具体的に説明すると、感度制御部１９ｂは、例えば、撮影者が指定した絞り値やシャッタスピード等を優先する撮影モードや、露出条件を測光部１５の出力に応じてカメラ本体１０がフルオートで設定する撮影モードにおいて、適正露出が得られるように撮像部１１の撮像感度を自動的に設定する。以下、感度制御部１９ｂが、撮像部１１の撮像感度を自動設定する撮影モードをオートＩＳＯ撮影モードと称して説明する。
【００２２】
ここで、本実施形態のカメラ本体１０に備えられた撮像部１１は、例えば、ＩＳＯ２００からＩＳＯ１６００までの間でＩＳＯ値を設定できるようになっている。
これに対し、感度制御部１９ｂは、オートＩＳＯ撮影モードにおいて、ＩＳＯ２００からＩＳＯ８００までの範囲を使用するようになっており、ＩＳＯ値に上限を設定することによって撮像感度上昇に起因するノイズ量の増加を防止している。
【００２３】
画像処理部１９ｃは、例えば、カメラシステム１のユーザからの入力操作に応じて、撮影済み画像を形成する画像データに含まれる輝度情報を自動的に調整する部分である。
この画像処理部１９ｃの行う画像処理機能の一例を説明すると、画像処理部１９ｃは、例えば、撮影済み画像を形成する画像データの一部の輝度値が低い（暗い）場合、この輝度値の低い領域を検出して当該領域のみの輝度値を上昇させる画像処理を行うようになっている。
【００２４】
照明装置３０は、照射部３３、表示部３４、操作部３５、及び、制御部３６を備えている。
照射部３３は、撮影時に照明光を発光する部分であり、例えば、キセノンランプ等の光源を備えている。
表示部３４は、照明装置３０に関する各種ステータスを表示する部分であり、例えば、液晶表示パネル等を備えている。
操作部３５は、照明装置３０の筐体に備えられた複数の押しボタンを含み、ユーザは、これらの押しボタンを操作することによって、各種入力操作を行うようになっている。
【００２５】
制御部３６は、照明装置３０に備えられた電気要素を統括的に制御する部分であり、演算部３６ａを備えている。
演算部３６ａは、絞り装置２３の絞り値情報、撮影レンズ２１の焦点距離情報、照明装置３０のガイドナンバー情報（ＧＮ情報）、撮像部１１の撮像感度情報等に基づいて、照明装置３０の調光可能範囲を演算する部分である。絞り値情報、焦点距離情報、及び、焦点距離情報は、カメラ本体１０の通信部１４から伝達される。
照明装置３０は、ＴＴＬ（自動調光モード）設定時には、シャッターとほぼ同時に発光するモニタ発光を行い、演算部３６ａは、このモニタ発光時の測光部１５の出力に基づいて、絞り値情報、焦点距離情報、及び、撮像感度情報等をカメラ本体１０から取得して、調光可能範囲を演算するようになっている。
【００２６】
そして、制御部３６は、演算部３６ａの演算結果に基づいて、調光可能範囲の上限値及び下限値を表示部３４に表示させる。
図２は、図１に示す照明装置に備えられた表示部の表示画面の一例を示す図である。
制御部３６は、ＩＳＯ値が固定された状態で撮影が行われる場合には、図２（ａ）に示すように、このＩＳＯ値（例えば、「ＩＳＯ２００」等）と、このＩＳＯ値に基づいた調光可能範囲をそれぞれの表示領域３４ａ、３４ｂに表示させるようになっている。
【００２７】
これに対し、オートＩＳＯ撮影モードで撮影を行う場合、演算部３６ａは、測光時（モニタ発光時）のＩＳＯ感度に関わらず、感度制御部１９ｂがオートＩＳＯ撮影モードで設定する撮像感度の上限値及び下限値（本実施形態ではＩＳＯ２００〜８００）に対応した調光可能範囲を演算する。そして、制御部３６は、図２（ｂ）に示すように、この演算部３６ａの演算結果と、オートＩＳＯ撮影モードである旨の表示（例えば、「ＩＳＯ  ＡＵＴＯ」等）をそれぞれの表示領域３４ｂ、３４ａに表示させるようになっている。
【００２８】
一例をあげて具体的に説明すると、本実施形態の照明装置３０は、例えば、測光時における絞り装置２３の絞り値が５．６であり、かつ、撮影レンズ２１の焦点距離が６０ｍｍの場合、ＩＳＯ値が２００であれば、その調光可能範囲は、例えば、０．９ｍ〜１１ｍとなり（図２（ａ）参照）、ＩＳＯ値が８００であれば、その調光可能範囲は、例えば、０．９ｍ〜２０ｍとなる性能を備えている。
前述のように、感度制御部１９ｂがオートＩＳＯ撮影モード時に設定するＩＳＯ値の範囲は、ＩＳＯ２００〜８００なので、撮影モードがオートＩＳＯ撮影モードである場合、制御部３６は、表示部３４に対して図２（ｂ）に示すように、例えば、表示領域３４ａに「ＩＳＯ  ＡＵＴＯ」と表示させるとともに、例えば、表示領域３４ｂに「０．９〜２０ｍ」等と表示させる。
【００２９】
ここで、この照明装置３０は、光源の大きさや、電源（例えば、コンデンサ）の容量によって最大発光量、すなわち、照明光の最長到達距離が決定される。これに対し、本実施形態のカメラ本体１０は、画像処理部１９ｃを備えているので、仮に被写体が照明装置３０に対して、照射光の最長到達距離よりも離れており、撮影時に光量不足となったとしても、画像処理を行うことによって適正露出で撮影した画像と同等の画像を得ることができる。
【００３０】
したがって、本実施形態のカメラシステム１は、画像処理部１９ｃを備えていないカメラシステム（図示省略）に比べ、被写体を適正露出で撮影できる距離が実質的に延長されることになる。本明細書において、照明装置３０の調光可能範囲とは、照明装置３０が照射する照射光が届く範囲を意味し、上述のように画像処理部１９ｃによる画像処理によって延長される分の距離を加えたものも、調光可能範囲に含まれるものとする。
【００３１】
そして、制御部３６は、ユーザからの入力操作に応じて、画像処理部１９ｃによる画像処理を行った場合の調光可能範囲を画像処理部１９ｃの処理能力に基づいて演算し、この延長された調光可能範囲を表示部３４に表示させるようになっている。
図２（ｃ）は、画像処理部１９ｃの処理を行った場合に得られる（延長される）調光可能範囲の増加分（＋αの延長距離）を表示部３４に表示した例である。表示領域３４ｃに画像処理部１９ｃにて画像処理（輝度処理）を行った場合であることと、その処理の強度（本実施形態では、強、並、低の３段階のうちの「並」）を示す表示を行い、同時に表示領域３４ｄに、その画像処理を行った場合に稼げる距離（調光範囲の延長できる距離）を表示する。
【００３２】
また、カメラ本体１０の制御部１９は、照明装置３０が装着されていない状態において、撮像部１１の撮像感度、及び、交換レンズ２０から伝達される情報に基づいてカメラ本体１０の表示部１２に照明光照射部（カメラ内蔵の照射部）１８の調光可能範囲を表示するようになっている。この照明光照射部１８の調光可能範囲も、撮影モードがオートＩＳＯ撮影モードである場合には、感度制御部１９ｂがオートＩＳＯ撮影モードで設定する撮像感度の上限値及び下限値に対応した数値で表示される。
そして、この状態でカメラ本体１０の操作部１６に含まれる所定の押しボタン（例えば、ＨＥＬＰボタン）が操作されると、制御部１９は、撮像部１１の撮像感度、前述の記録部１７に記録された情報（外付け型照明装置のガイドナンバー情報）、及び、交換レンズ２０から伝達される情報に基づいて、外付け型の照明装置（照明装置３０を含む）を使用した場合の調光可能範囲をカメラ側の表示部１２に表示させるようになっている。
これによって、撮影者は、内蔵型の照明光照射部１８を使用した場合の調光可能範囲と、外付け型の照明装置を使用した場合の調光可能範囲とを比較することができる。
【００３３】
次に、本実施形態のカメラシステム１を用いて撮影を行う場合における照明装置３０の制御部３６が行う表示制御について、フローチャートを用いてステップ毎に説明する。
図３は、図１に示す照明装置に備えられた制御部が行う表示制御を示すフローチャートである。
【００３４】
（ステップＳ０１：撮影モード判定）
制御部３６は、通信部１４及び通信部３２を介して、カメラ側から受信した情報に基づいて、撮影者が設定したＩＳＯ値に関する撮影モードを判定する。ＩＳＯ値が固定された撮影モードが指定されている場合、制御部３６は、ステップＳ０２に進み、撮影モードがオートＩＳＯ撮影モードである場合には、ステップＳ０４に進む。
【００３５】
（ステップＳ０２：ＩＳＯ値判定）
制御部３６は、カメラ本体１０から伝達される信号に基づいてＩＳＯ値（例えば、ＩＳＯ２００）を判定し、ステップＳ０３に進む。
（ステップＳ０３：調光可能範囲演算）
制御部３６は、ステップＳ０２において判定したＩＳＯ値に基づいて演算部３６ａに調光可能範囲を演算させ、ステップＳ０５に進む。
【００３６】
（ステップＳ０４：調光可能範囲演算）
制御部３６は、感度制御部１９ｂがオートＩＳＯ撮影モード時に設定するＩＳＯ値の範囲（例えば、ＩＳＯ２００〜８００）に対応した調光可能範囲を演算部３６ａに演算させ、ステップＳ０５に進む。
【００３７】
（ステップＳ０５：調光可能範囲表示）
制御部３６は、ステップＳ０３又はステップＳ０４による演算結果に応じた調光可能範囲をＩＳＯ値と併せて表示部３４に表示させる。
撮影モードがオートＩＳＯ撮影モードである場合、制御部３６は、表示部３４に対して、図２（ｂ）に示すように、例えば、「ＩＳＯ  ＡＵＴＯ」と表示領域３４ａに表示させるとともに、例えば、「０．９〜２０ｍ」等と表示領域３４ｂに表示させる（ステップＳ０６に進む）。
ＩＳＯ値が固定で設定されている場合（ステップＳ２）、制御部３６は、このＩＳＯ値と、このＩＳＯ値に基づいて演算された調光可能範囲を表示部３４に表示させる（図２（ａ）参照）。
【００３８】
（ステップＳ０６：画像処理考慮判定）
制御部３６は、ユーザによって、操作部３５の所定の操作ボタンが操作されると、これを検出してステップＳ０７に進む。これに対し、ユーザによる上記入力操作が検出されない場合には、処理を終了する。
（ステップＳ０７：調光可能範囲演算・表示）
制御部３６は、画像処理部１９ｃによる画像処理能力を考慮して、ステップＳ０５で表示した調光可能範囲（例えば、「０．９ｍ〜２０ｍ」等）を補正する演算を行い、この補正後の調光可能範囲を表示部３４に表示させる。
前述のように、カメラシステム１は、画像処理部１９ｃの機能によって、この画像処理部１９ｃを備えていないカメラシステムに比べ、調光可能範囲の上限値を大きくすることができる。本実施形態のカメラシステム１では、画像処理部１９ｃの機能によって、調光可能範囲の上限が、例えば、２０ｍから２０．５ｍに、＋０．５ｍだけ延長されるようになっている。
したがって、制御部３６は、ステップＳ０６でユーザによって所定の押しボタンが操作されると、表示部３４の表示を、前述の図２（ｃ）に示したような表示状態に変更して処理を終了する。なお、表示形態としては、図２（ｃ）に示す形態に限られず、例えば、表示領域３４ｄの表示を行わない代わりに、表示領域３４ｂに表示される調光可能範囲を、「０．９ｍ〜２０．５ｍ」と変更して表示するようにしてもよい。この際にも、この表示された調光可能範囲が画像処理部１９ｃによる画像処理能力を考慮したものである旨の表示である表示領域３４ｃの表示を併せて表示してもよい。
【００３９】
なお、本実施形態では、画像処理部１９ｃによる画像処理（輝度処理）び強度を、複数（例えば、「強」、「並」、「低」の３つ）設けておき、その強度をも任意に選択できるようにしており、その選択された強度に応じて調光可能範囲の上限値（＋αの延長距離）も異なるものとなる。本実施形態では、どの程度の強度が選択されたかということも表示領域３４ｃに表示できるようになっており、撮影者は、画像処理の強度の違いによる＋αの延長距離の違いを容易に知ることができる。
【００４０】
以上説明した本実施形態の照明装置３０を備えたカメラシステム１によれば、以下の効果を得ることができる。
（１）感度制御部１９ｂがオートＩＳＯ撮影モードにおいて設定するＩＳＯ値の設定範囲に対応した調光可能範囲を表示するので、撮影時の調光可能範囲は、必ず表示部３４で表示された数値の範囲内に含まれる。したがって、撮影者は、オートＩＳＯ撮影モードで撮影を行う場合であっても、撮影前に調光可能範囲がどの程度の範囲となるのかを知ることができる。
（２）画像処理部１９ｃの能力を考慮した調光可能範囲を表示できるので、撮影者は、例えば、補正前の調光可能範囲では光量不足となる場合であっても、画像処理によって適正露出の画像を得ることができることが分かる。画像処理を行うことで適正露出の画像が得られることが分かれば、撮影時に、例えば、シャッタスピードを遅くする等の設定変更することなく撮影を行うことができる。
（３）内蔵型の照明光照射部１８を使用した場合の調光可能範囲と、外付け型の照明装置を使用した場合の調光可能範囲とを比較できるので、例えば、照明光照射部１８を使用した場合に光量不足となるときでも、撮影者は、外付け型の照明装置を使用すれば、適正露出で撮影することができることが分かる。したがって、撮影者は、ＩＳＯ感度や、シャッタスピードを変更することなく撮影を行うことができる。
【００４１】
［変形形態］
本発明の構成は、以上説明した実施形態に限定されることなく、種々の変形や変更が適宜可能であって、それらも本発明の技術的範囲内に含まれる。
（１）実施形態の照明装置は、調光可能範囲の上限値、及び、下限値を表示したが、これに限らず、例えば、上限値のみを表示してもよい。
（２）実施形態のカメラシステムは、照明装置の表示部に調光可能範囲を表示したが、これに限らず、例えば、カメラ本体側の表示部（表示部１２及び／又は光学ファインダー４０内のファインダー内表示部４１）に上記実施形態（照明装置側の表示部に表示した内容）と同様の表示を行ってもよい。また、調光可能範囲の演算は、照明装置の演算部が行ったが、これに限らず、例えば、カメラ本体側の制御部が行ってもよい。
（３）実施形態の照明装置は、撮像装置から感度範囲情報を通信によって取得したが、これに限らず、例えば、照明装置に対して感度範囲情報を手動で入力してもよい。
（４）実施形態の照明装置は、カメラ本体に機械的に接続されたが、照明装置とカメラ本体とは、例えば、無線によって接続されるものでもよい。
（５）画像処理部が行う画像処理効果の程度（画像処理の効き具合）をいくつかの段階（例えば、高、低の二段階）に設定できる場合、これらの段階に応じた調光可能範囲を表示できるようにしてもよい。
（６）表示部に、所望の被写体までの距離も、上述の調光可能範囲の表示とともに表示するようにしておけば、その調光可能範囲内にその所望の被写体が存在するか否かが容易に確認できて使い勝手がよい。なお、所望の被写体の距離情報は、ＡＦセンサーのうち選択されているオートフォーカスエリアから得られるセンサー情報、あるいは主要被写体と自動認識した被写体位置に対応するフォーカスエリアから得られるセンサー情報に基づいて得るようにすればよい。
【図面の簡単な説明】
【００４２】
【図１】実施形態の照明装置を備えたカメラシステムの構成を示すブロック図である。
【図２】図１に示す照明装置に備えられた表示部の表示画面の一例を示す図である。
【図３】図１に示す照明装置に備えられた制御部が行う表示制御を示すフローチャートである。
【符号の説明】
【００４３】
１  カメラシステム  ：  １０  カメラ本体  ：  ３０  照明装置  ：  ３３  表示部  ：  ３６  制御部  ：  ３６ａ  演算部
【図１】
0005217290.tif 000002
【図２】
0005217290.tif 000003
【図３】
0005217290.tif 000004